【手続補正書】
【提出日】平成18年12月7日(2006.12.7)
【手続補正１】
【補正対象書類名】明細書
【補正対象項目名】発明の名称
【補正方法】変更
【補正の内容】
【発明の名称】遠隔制御用送信装置、遠隔制御システム、及び遠隔制御用受信装置
【手続補正２】
【補正対象書類名】明細書
【補正対象項目名】特許請求の範囲
【補正方法】変更
【補正の内容】
【特許請求の範囲】
【請求項１】  使用者が操作する送信装置と、該送信装置からの指示信号を
受信してその指示信号に応じて遠隔制御される機器を制御する受信装置とを備え
た遠隔制御システムの送信装置において、
該送信装置の作動状態を表示するための表示部と、
前記送信装置の作動状態を前記表示部へ表示する送信装置状態表示制御手段と
を備えると共に、
前記受信装置の作動状態を前記表示部へ表示する受信装置状態表示制御手段を
備え、
前記送信装置の作動状態を表示するための前記表示部が、前記受信装置の作動
状態の表示部を兼用していることを特徴とする遠隔制御用送信装置。
【請求項２】  前記送信装置状態表示制御手段が、前記指示信号の送信時に
前記表示部を点灯させて前記指示信号を送信したことを示す表示を行うものであ
ることを特徴とする請求項１記載の遠隔制御用送信装置。
【請求項３】  前記送信装置状態表示制御手段が、前記送信装置の電池の残
容量に応じた状態で前記表示部を点灯させて電池の残容量を示す表示を行うもの
であることを特徴とする請求項１または請求項２記載の遠隔制御用送信装置。
【請求項４】  使用者の操作状態を記憶する操作状態記憶手段を備え、
前記受信装置状態表示制御手段が、前記操作状態記憶手段の記憶内容から前記
受信装置の作動状態を推定し、推定した作動状態を前記表示部へ表示するもので
あることを特徴とする請求項１〜３のいずれかの項に記載の遠隔制御用送信装置
。
【請求項５】  前記受信装置から該受信装置の作動状態を示す信号を受信す
る作動状態受信部を備え、
前記受信装置状態表示制御手段が、前記作動状態受信部で受信した信号に基づ
いて前記受信装置の作動状態を検出し、検出した作動状態を前記表示部へ表示す
るものであることを特徴とする請求項１〜４のいずれかの項に記載の遠隔制御用
送信装置。
【請求項６】  前記表示部が、発光素子からなり、
前記受信装置状態表示制御手段が、表示内容に応じて前記発光素子の点滅回数
を変えるものであることを特徴とする請求項１〜５のいずれかの項に記載の遠隔
制御用送信装置。
【請求項７】  前記表示部が、発光素子からなり、
前記受信装置状態表示制御手段が、表示内容に応じて前記発光素子の所定期間
における点滅回数を変えると共に、点滅動作を繰り返すものであることを特徴と
する請求項１〜５のいずれかの項に記載の遠隔制御用送信装置。
【請求項８】  前記表示部が、複数の色で発光できる多色発光素子からなり
、
前記受信装置状態表示制御手段が、表示内容に応じて前記多色発光素子の発光
色を変えるものであることを特徴とする請求項１〜５のいずれかの項に記載の遠
隔制御用送信装置。
【請求項９】 使用者が操作する送信装置と、該送信装置からの指示信号を
受信してその指示信号に応じて遠隔制御される機器を制御する受信装置とを備え
た遠隔制御システムの送信装置において、
表示部と、
前記送信装置の作動状態を前記表示部へ表示する送信装置状態表示制御手段と
、
前記受信装置から送信されてくるデータを受信する受信手段と、
該受信手段で受信した、前記受信装置から送信されてくる該受信装置の作動状
態を示したデータを記憶手段へ記憶する記憶制御手段と、
使用者による状態確認の操作がなされると、前記記憶手段に記憶されている前
記受信装置の作動状態を示したデータに基づいて、前記受信装置の作動状態を前
記表示部へ表示する受信装置状態表示制御手段とを備えていることを特徴とする
遠隔制御用送信装置。
【請求項１０】 使用者が操作する送信装置と、該送信装置からの指示信号
を受信してその指示信号に応じて遠隔制御される機器を制御する受信装置とを備
えた遠隔制御システムの送信装置において、
表示部と、
使用者による前記送信装置の操作状態を示したデータを記憶手段へ記憶する記
憶制御手段と、
使用者による状態確認の操作がなされると、前記記憶手段に記憶されている前
記送信装置の操作状態を示したデータに基づいて、前記送信装置の作動状態を前
記表示部へ表示する送信装置状態表示制御手段と、
前記受信装置から送信されてくるデータを受信する受信手段と、
該受信手段で受信した、前記受信装置から送信されてくる該受信装置の作動状
態を示したデータに基づいて、前記受信装置の作動状態を前記表示部へ表示する
受信装置状態表示制御手段とを備えていることを特徴とする遠隔制御用送信装置
。
【請求項１１】 使用者が操作する送信装置と、該送信装置からの指示信号
を受信してその指示信号に応じて遠隔制御される機器を制御する受信装置とを備
えた遠隔制御システムの送信装置において、
表示部と、
使用者による前記送信装置の操作状態を示したデータを記憶手段へ記憶する記
憶制御手段と、
使用者による状態確認の操作がなされると、前記記憶手段に記憶されている前
記送信装置の操作状態を示したデータに基づいて、前記送信装置の作動状態を前
記表示部へ表示する送信装置状態表示制御手段とを備えていることを特徴とする
遠隔制御用送信装置。
【請求項１２】 使用者が操作する送信装置と、該送信装置からの指示信号
を受信してその指示信号に応じて遠隔制御される機器を制御する受信装置とを備
えた遠隔制御システムにおいて、
前記送信装置が、
表示部と、
前記送信装置の作動状態を前記表示部へ表示する送信装置状態表示制御手段と
、
前記受信装置に対し、該受信装置の作動状態を示したデータの送信を要求する
要求手段と、
前記要求に応答して前記受信装置から送信されてくる該受信装置の作動状態を
示したデータを受信する受信手段と、
前記受信装置から送信されてくる該受信装置の作動状態を示したデータに基づ
いて、前記受信装置の作動状態を前記表示部へ表示する受信装置状態表示制御手
段とを備え、
前記受信装置が、
前記送信装置から送信されてくる前記要求信号を受信すると、前記受信装置の
作動状態を示したデータを送信する送信制御手段を備えていることを特徴とする
遠隔制御システム。
【請求項１３】 使用者が操作する送信装置と、該送信装置からの指示信号
を受信してその指示信号に応じて遠隔制御される機器を制御する受信装置とを備
えた遠隔制御システムにおいて、
前記送信装置が、
表示部と、
前記受信装置に対し、該受信装置の作動状態を示したデータの送信を要求する
要求手段と、
前記要求に応答して前記受信装置から送信されてくる該受信装置の作動状態を
示したデータを受信する受信手段と、
前記受信装置から送信されてくる該受信装置の作動状態を示したデータに基づ
いて、前記受信装置の作動状態を前記表示部へ表示する受信装置状態表示制御手
段とを備え、
前記受信装置が、
前記送信装置から送信されてくる前記要求信号を受信すると、前記受信装置の
作動状態を示したデータを送信する送信制御手段を備えていることを特徴とする
遠隔制御システム。
【請求項１４】 使用者が操作する送信装置と、該送信装置からの指示信号
を受信してその指示信号に応じて遠隔制御される機器を制御する受信装置とを備
えた遠隔制御システムの受信装置において、
前記送信装置から送信されてくる前記受信装置の作動状態を示したデータの送
信を要求する要求信号を受信すると、
前記受信装置の作動状態を示したデータを送信する送信制御手段を備えている
ことを特徴とする遠隔制御用受信装置。
【手続補正３】
【補正対象書類名】明細書
【補正対象項目名】０００５
【補正方法】削除
【補正の内容】